(57)【要約】【課題】接合部分に十分な摩擦力を発生させることができると共に十分な締付力を確保できて、支柱と踏桟とを確実強固に接合固定できる支柱と踏桟との接合構造を提供する。【解決手段】脚立等における断面略コ字状型材からなる支柱１の左右側壁１ａ，１ｂ間に、角筒状型材又は断面略コ字状型材からなる踏桟２の端部を嵌合挿入して、支柱１と踏桟２とをボルト等のネジ具又はリベットにより接合する接合構造において、踏桟２の端部には支柱１の左右両側壁１ａ，１ｂに隣接する左右両側壁２ａ，２ｂ間に予め内部補強用構造部材３を介挿固定する。【選択図】図２
2006144358.tif 000002
【特許請求の範囲】
【請求項１】
脚立等における断面略コ字状型材からなる支柱の左右側壁間に、角筒状型材又は断面略コ字状型材からなる踏桟の端部を嵌合挿入して、支柱と踏桟とをボルト等のネジ具又はリベットにより接合する脚立等における支柱と踏桟との接合構造において、
踏桟の端部には支柱の左右両側壁に隣接する左右両側壁間に予め内部補強用構造部材を介挿固定してなることを特徴とする脚立等における支柱と踏桟との接合構造。
【請求項２】
内部補強用構造部材を位置決め手段によって所定位置に位置決め固定してなることを特徴とする請求項１に記載の脚立等における支柱と踏桟との接合構造。
【発明の詳細な説明】
【技術分野】
【０００１】
本発明は、脚立、踏台、梯子、作業台等における支柱と踏桟との接合構造に関するものである。
【背景技術】
【０００２】
例えば作業台の両端部にある梯子状脚体は、図１に示すように、一対の支柱１，１と、両支柱１，１間に横架される複数の踏桟２とによって構成され、各支柱１は、断面略コ字状型材からなるもので、この支柱１の左右側壁間に、角筒状型材又は断面略コ字状型材からなる踏桟２の端部を嵌合挿入して、この踏桟２の端部をボルト等により接合するようになっている。
【０００３】
而して、従来における支柱と踏桟との接合構造として、特許公報等の公知文献を具体的に挙げることはできないが、従来より採用されている接合構造には、図６及び図７に示すようなものがある。図６の(a) ，(b) はタッピングビス２１による接合構造を示し、(a)
は側面図、(b) は(a) のロ−ロ線断面図で、断面略コ字状型材から支柱１の左右側壁１ａ，１ｂ間に、角筒状型材からなる踏桟２の端部を嵌合挿入し、支柱１の背面側壁１ｃからタッピングビス２１を、踏桟２内部のビスポケット２２にねじ込んで、支柱１と踏桟２とを接合するようにしたものである。図７はリベット２３による接合構造を示したもので、断面略コ字状型材から支柱１の左右側壁１ａ，１ｂ間に、角筒状型材からなる踏桟２の端部を嵌合挿入し、支柱１の左右各側壁１ａ，１ｂとこれに隣接する踏桟２の側壁２ａ，２ｂとを夫々リベット２３により結合して、支柱１と踏桟２とを接合するようにしたものである。その他に、支柱の左右側壁間に踏桟の端部を嵌合挿入した状態で支柱の一方の側壁から踏桟の両側壁及び支柱の他方の側壁に亘って通しボルトを貫通させ、ナットで締結するようにしたものもある。尚、支柱１を形成する断面略コ字状型材は、図６及び図７には背面壁１ｃが一重壁からなるものしか示していないが、この背面壁１ｃが内側壁と外側壁の二重壁からなるものもある。
【発明の開示】
【発明が解決しようとする課題】
【０００４】
上記従来の接合構造において、タッピングビス２１による場合は、接合部分に十分な摩擦力を発生させることができず、ビス２１の緩みを生じ易い。また、リベット２３や通しボルトによる場合は、それらが貫通する踏桟の側壁の剛性が十分でないと、接合部分の締付力が弱く、十分な摩擦力を発生させることができず、確実な固定ができない。また、リベット２３による接合構造では、リベット２３の抜き取りが困難であるため、踏桟２又は支柱１の交換が必要な場合に不適である。
【０００５】
本発明は、上記の課題に鑑み、接合部分に十分な摩擦力を発生させることができると共に十分な締付力を確保できて、支柱と踏桟とを確実強固に接合固定でき、しかも踏桟や支柱が破損した時等にそれらの部材の交換が可能となる脚立等における支柱と踏桟との接合構造を提供することを目的とする。
【課題を解決するための手段】
【０００６】
上記課題を解決するための手段を、後述する実施形態の参照符号を付して説明すると、請求項１に係る発明は、脚立等における断面略コ字状型材からなる支柱１の左右側壁１ａ，１ｂ間に、角筒状型材又は断面略コ字状型材からなる踏桟２の端部を嵌合挿入して、支柱１と踏桟２とをボルト等のネジ具又はリベットにより接合する脚立等における支柱と踏桟との接合構造において、踏桟２の端部には支柱１の左右両側壁１ａ，１ｂに隣接する左右両側壁２ａ，２ｂ間に予め内部補強用構造部材３，１３を介挿固定してなることを特徴とする。尚、支柱１を形成する断面略コ字状型材は、左右側壁１ａ，１ｂと一重壁又は内外の二重壁からなる背面壁１ｃとによって略コ字状に形成されるものとする。
【０００７】
請求項２は、請求項１に記載の脚立等における支柱と踏桟との接合構造において、内部補強用構造部材３，１３を位置決め手段によって所定位置に位置決め固定してなることを特徴とする。この位置決め手段としては、補強用構造部材３が例えば筒状部材からなる場合、支柱１の左右両側壁１ａ，１ｂに隣接する踏桟２の左右両側壁２ａ，２ｂに穴６，６を開けてその内側に夫々内向きの嵌合突起６ａ，６ａを形成し、両嵌合突起６ａ，６ａを内部補強用構造部材３の両端部内に突入嵌合させて、この内部補強用構造部材３を支柱１の左右両側壁１ａ，１ｂ間に固定するようにすればよい。
【０００８】
また位置決め手段としては、支柱１の左右両側壁１ａ，１ｂに隣接する踏桟２の左右両側壁２ａ，２ｂには夫々内面の対向位置に、踏桟長手方向に延びるガイド溝８，８を形成し、両ガイド溝８，８に内部補強用構造部材１３の両端部をスライド自在に嵌合し、この内部補強用構造部材１３の一側端部１３ａを支柱１の底壁１ｃ内面に支持させ、その他側端部１３ｂは、踏桟２の左右両側壁２ａ，２ｂに夫々内向きに突出するように設けた切り起こし片９，９に支持させることによって、内部補強用構造部材１３を支柱１の左右両側壁１ａ，１ｂ間に固定するようにしたものでもよい。あるいは、内部補強用構造部材１３の両側端部１３ａ，１３ｂを上記のような切り起こし片９によって支持させるようにしてもよい。
【０００９】
更に他の位置決め手段としては、上記のような切り起こし片９に代えて、踏桟２の左右両側壁２ａ，２ｂに夫々内向きに突出する凸部をプレス加工により又はリベットの空打ち（ブラインドリベット）によって形成し、この凸部によって補強用構造部材３，１３を所定位置に位置決め固定するようにしてもよい。
【発明の効果】
【００１０】
上記解決手段による発明の効果を、後述する実施形態の参照符号を付して説明すると、請求項１に係る発明によれば、踏桟２の端部に、支柱１の左右両側壁１ａ，１ｂに隣接する左右両側壁２ａ，２ｂ間に内部補強用構造部材３，１３が介挿されていることによって、左右両側壁２ａ，２ｂが剛体構造となるから、例えば支柱１の一方の側壁１ａから踏桟２の両側壁２ａ，２ｂ及び支柱１の他方の側壁１ｂに亘ってボルト４を貫通させ、その端部にナット５を螺合して締結する時、また実施形態には示していないが、支柱１の側壁１ａ，１ｂとこれに隣接する踏桟２の側壁２ａ，２ｂとをビス結合又はリベット結合する時に、支柱１の側壁１ａ，１ｂがこれに隣接した踏桟２の側壁２ａ，２ｂに夫々十分に締め付けられて圧着され、それにより支柱１の側壁１ａ，１ｂと踏桟２の側壁２ａ，２ｂとの間に夫々十分な摩擦力を生じさせて支柱１と踏桟２とを強固に接合することができる。
【００１１】
また、ボルト４・ナット５による接合構造の場合に、踏桟２が破損して取り替えが必要な時は、その取り替えが容易となる。そしてまた、リベットによる接合構造の場合に踏桟２の取り替えを必要する時には、接合部分を補修加工して再カシメ加工しても、内部補強用構造部材３によって踏桟２の側壁２ａ，２ｂが十分な剛性を維持できるから、取り替えが可能となる。
【００１２】
また、内部補強用構造部材３を踏桟２の左右両側壁２ａ，２ｂ間の所定位置に固定させるようにするから、支柱１と踏桟２とが仮組立状態（ボルト等が挿入されていない状態）においても、内部補強用構造部材３が踏桟２内で移動したり脱落することがなく、組立作業が容易となる。この場合、内部補強用構造部材３を所定位置に仮固定するには、踏桟２の左右両側壁２ａ，２ｂとの接触摩擦力によって内部補強用構造部材３を固定させるようにするとよい。
【００１３】
請求項２に係る発明によれば、内部補強用構造部材３，１３を位置決め手段によって所定位置に位置決め固定するようにした場合には、支柱１と踏桟２との組立作業が一層容易となって、作業性が向上する。
【発明を実施するための最良の形態】
【００１４】
以下に本発明の好適実施形態を図面に基づいて説明すると、図１は作業台の側面図で、作業台の両端部にある梯子状脚体Ｈを示し、この梯子状脚体Ｈは、一対の支柱１，１と、両支柱１，１間に複数段に横架される複数の踏桟２とにより構成される。図２の(a) は図１の矢印イで示す部分の拡大断面図で、本発明に係る支柱１と踏桟２との接合構造の一実施形態を示し、(b) は支柱１と踏桟と２が接合する前の状態を示している。この図から分かるように、各支柱１は、断面略コ字状のアルミ押出型材からなるもので、この支柱１の左右側壁１ａ，１ｂ間に、角筒状のアルミ押出型材からなる踏桟２の端部が嵌合挿入され、この踏桟２の端部が支柱１とボルト接合されるようになっている。
【００１５】
上記作業台の梯子状脚体Ｈにおける支柱１と踏桟２との接合構造について詳しく説明すれば、図２の(b) 及び図４の(a) ，(b) に示すように、踏桟２の端部には支柱１の左右両側壁１ａ，１ｂに隣接する左右両側壁２ａ，２ｂ間に予め内部補強用構造部材３が介挿されて位置決め手段により所定位置に位置決め固定され、而して支柱１の一方の側壁１ａから踏桟２の両側壁２ａ，２ｂ及び支柱１の他方の側壁１ｂに亘ってボルト４が貫通され、他方の側壁１ｂから突出したボルト４の突出端部にナット５が螺合されて締結されることにより、支柱１と踏桟２の端部とが一体的に接合されたものである。
【００１６】
内部補強用構造部材３は、例えばステンレス製のパイプ材を踏桟２の両側壁２ａ，２ｂ間の間隔より僅かに短い長さに切断した円筒状部材からなる。この内部補強用構造部材３を踏桟２の左右両側壁２ａ，２ｂ間の所定位置に位置決固定する位置決め手段としては、踏桟２の両側壁２ａ，２ａ間の所定位置に内部補強用構造部材３を介在させた状態で、この両側壁２ａ，２ａに夫々バーリング加工により穴６，６を開けてその内側に夫々内向きの嵌合突起６ａ，６ａを形成し、両嵌合突起６ａ，６ａを内部補強用構造部材３の両端部内に突入嵌合させることによって、図２の(b) 及び図４の(a) ，(b) に示すように内部補強用構造部材３を踏桟２の左右両側壁２ａ，２ｂ間の所定位置に固定させるようにしたものである。尚、この実施形態では、内部補強用構造部材３を円筒状片としたが、角筒状片でもよい。
【００１７】
支柱１は、左右両側壁１ａ，１ｂと背面壁１ｃとによって断面略コ字状に形成されたもので、左右両側壁１ａ，１ｂの踏桟嵌合部には踏桟２の側壁２ａ，２ｂの  穴６，６と対応する位置にボルト挿通孔７，７が穿設される。尚、この支柱１を形成する断面略コ字状型材は、この実施形態には背面壁１ｃが一重壁からなるものしか示していないが、この背面壁１ｃが内側壁と外側壁の二重壁からなる型材も含むものとする。
【００１８】
このような支柱１と踏桟２との接合構造によれば、踏桟２の端部には支柱１の左右両側壁１ａ，１ｂに隣接する左右両側壁２ａ，２ｂ間に内部補強用構造部材３が介挿されていることによって、左右両側壁２ａ，２ｂが剛体構造となるから、支柱１の一方の側壁１ａから踏桟２の両側壁２ａ，２ｂ及び支柱１の他方の側壁１ｂに亘ってボルト４を貫通させて、その端部にナット５を螺合して締結する時に、支柱１の側壁１ａ，１ｂがこれに隣接した踏桟２の側壁２ａ，２ｂに夫々十分に締め付けられて圧着され、それにより支柱１の側壁１ａ，１ｂと踏桟２の側壁２ａ，２ｂとの間に夫々確実な摩擦力を生じさせて、支柱１と踏桟２とを確実強固に接合固定させることができる。また、この接合構造はボルトナットによる接合構造であるから、踏桟２や支柱１が破損して取り替えを必要とする時は、新しいものと簡単に取り替えることができる。
【００１９】
また内部補強用構造部材３は、踏桟２の左右両側壁２ａ，２ｂ間の所定位置に位置決め手段によって予め固定されているから、支柱１と踏桟２とが仮組立状態（ボルト４が挿入されていない状態）においても、内部補強用構造部材３が踏桟２内で移動したり脱落することがなく、支柱１と踏桟２との組立作業が簡単且つ容易となって、作業性が向上する。また、この内部補強用構造部材３は円筒状部材からなるもので、支柱１の左右両側壁１ａ，１ｂに隣接する踏桟２の左右両側壁２ａ，２ｂに穴６，６を開けてその内側に夫々内向きの嵌合突起６ａ，６ａを形成し、両嵌合突起６ａ，６ａを内部補強用構造部材３の両端部内に突入嵌合させるようにしたから、内部補強用構造部材３を所定位置に簡単に固定させることができる。
【００２０】
図３の(a) は図２の(a) に示す接合構造とほとんど同様な接合構造の断面図であって、内部補強用構造部材１３を踏桟２の端部所定位置に他の位置決め手段によって固定する他の実施形態を示している。即ち、踏桟２には、図５の(a) から分かるように、支柱１の左右両側壁１ａ，１ｂに隣接する踏桟２の左右両側壁２ａ，２ｂの夫々内面の対向位置に、踏桟２の長手方向に延びる２条の突条８ａ，８ａ間にガイド溝８を形成し、両ガイド溝８，８に内部補強用構造部材１３の両端部をスライド自在に嵌合し、而して図３の(a) に示すように、内部内部補強用構造部材１３の一側端部１３ａを支柱１の背面壁１ｃ内面に支持させ、その他側端部１３ｂは、図３の(a) ，(b) 及び図５の(b) に示すように、踏桟２の左右両側壁２ａ，２ｂに夫々内向きに突出するように設けた切り起こし片９，９に支持させることにより、この内部補強用構造部材１３を支柱１の左右両側壁１ａ，１ｂ間に固定させるようにしている。
【００２１】
内部補強用構造部材１３は、図５の(c) に示すように、横断面横長矩形状のアルミ押出型材からなるもので、その厚みｔはガイド溝８の溝幅よりわずかに薄くなるように形成され、この内部補強用構造部材１３の一側端部１３ａ側には軽量化を図るための中空部１０が、そして他側端部１３ｂ側にボルト挿通用の中空部１１が夫々形成されている。
【００２２】
而して、支柱１と踏桟２とを接合するにあたって、踏桟２の左右両側壁２ａ，２ｂに対向形成した両ガイド溝８，８に、内部補強用構造部材１３の両端部を嵌合させた状態で、この内部補強用構造部材３を踏桟２の端部内に配置し、一側端部１３ａ側は踏桟２の開口端面側に位置させ、他側端部１３ｂ側は切り起こし片９，９に支持させて、図５の(b) に示すような状態とする。この状態において、ボルト４を、支柱１の左右側壁１ａ，１ｂのボルト挿通孔７，７、踏桟２の左右側壁２ａ，２ｂに設けたボルト挿通孔１２，１２、及び内部補強用構造部材３のボルト挿通用中空部１１に亘って貫通させ、その貫通端部にナット５を螺合して締結することにより、支柱１と踏桟２の端部とを確実強固に一体的に接合することができる。
【００２３】
図２〜図５によって説明した実施形態の接合構造は、ボルト４を、支柱１の一方の側壁１ａから踏桟２の両側壁２ａ，２ｂ及び支柱１の他方の側壁１ｂに亘って貫通させ、その他方の側壁１ｂから突出したボルト４の突出端部にナット５を螺合し締結するようにしたボルト接合構造であるが、本発明による支柱１と踏桟２との接合は、このようなボルト４とナット５による接合に限るものではなく、支柱１の側壁１ａ，１ｂとこれに隣接する踏桟２の側壁２ａ，２ｂとを直接ビス結合したり、あるいはリベット結合するようにしたものでもよく、そのようなビス結合時やリベット結合時にも、踏桟２の端部において左右両側壁２ａ，２ｂ間に内部補強用構造部材３が介挿されていることによって、支柱１の側壁１ａ，１ｂがこれに隣接した踏桟２の側壁２ａ，２ｂに夫々十分に締め付けられて圧着され、それにより支柱１の側壁１ａ，１ｂと踏桟２の側壁２ａ，２ｂとの間に夫々十分な摩擦力を生じさせ、支柱１と踏桟２とを強固に接合することができる。そして、リベットによる接合構造の場合に踏桟２の取り替えを必要する時には、接合部分を補修加工して再カシメ加工しても、内部補強用構造部材３によって踏桟２の側壁２ａ，２ｂは十分な剛性を維持できるから、取り替えが可能となる。
【００２４】
また、上述した実施形態では、内部補強用構造部材３，１３を位置決め手段によって所定位置に位置決め固定しているが、位置決め手段を使用しなくても、踏桟２の左右両側壁２ａ，２ｂとの接触摩擦力によって内部補強用構造部材３を所定位置に固定させることができる。
【００２５】
また位置決め手段として、上述の実施形態では、補強用構造部材３が筒状部材からなる場合、支柱１の左右両側壁１ａ，１ｂに隣接する踏桟２の左右両側壁２ａ，２ｂに穴６，６を開けてその内側に夫々内向きの嵌合突起６ａ，６ａを形成し、両嵌合突起６ａ，６ａを内部補強用構造部材３の両端部内に突入嵌合させて、この内部補強用構造部材３を支柱１の左右両側壁１ａ，１ｂ間に固定するようにしており、また他の位置決め手段として、支柱１の左右両側壁１ａ，１ｂに隣接する踏桟２の左右両側壁２ａ，２ｂには夫々内面の対向位置に、踏桟長手方向に延びるガイド溝８，８を形成し、両ガイド溝８，８に内部補強用構造部材１３の両端部をスライド自在に嵌合し、この内部補強用構造部材１３の一側端部１３ａを支柱１の底壁１ｃ内面に支持させ、その他側端部１３ｂを、踏桟２の左右両側壁２ａ，２ｂに夫々内向きに突出するように設けた切り起こし片９，９に支持させることで、内部補強用構造部材１３を支柱１の左右両側壁１ａ，１ｂ間に固定するようにしているが、これらの位置決め手段に限らず、他の種々の位置決め手段の使用が可能である。例えば、内部補強用構造部材１３の両側端部１３ａ，１３ｂを上記のような切り起こし片９によって支持させるようにしてもよいし、また上記のような切り起こし片９に代えて、踏桟２の左右両側壁２ａ，２ｂに夫々内向きに突出する凸部を、プレス加工により形成するか、あるいはリベットを空打ちする（側壁２ａ，２ｂにブラインドリベットを打ち込む）ことによって形成し、その凸部によって補強用構造部材３，１３を所定位置に位置決め固定するようにしてもよい。
【図面の簡単な説明】
【００２６】
【図１】本発明に係る支柱と踏桟との接合構造を有する作業台の側面図である。
【図２】(a) は図１の矢印イで示す部分の拡大断面図で、本発明に係る支柱と踏桟との接合構造の一実施形態を示し、(b) は支柱と踏桟とが接合する前の状態を示す。
【図３】(a) は図２の(a) に示す接合構造とほとんど同様な接合構造の断面図で、内部内部補強用構造部材を踏桟の端部所定位置に固定する他の実施形態を示し、(b) は支柱と踏桟とが接合する前の状態を示す。
【図４】(a) は図２に示す実施形態における踏桟の端面図、(b) は同踏桟の側面図である。
【図５】(a) は図３に示す実施形態における踏桟の端面図、(b) は同踏桟の側面図、(c) は同踏桟の端部に挿入される内部補強用構造部材を示す斜視図である。
【図６】タッピングビスによる従来の接合構造を示すもので、(a) は正面図、(b) は(a) のロ−ロ線断面図である。
【図７】リベットによる従来の接合構造を示すもので、図６の(b) と同様な断面図である。
【符号の説明】
【００２７】
１              支柱
１ａ，１ｂ      支柱の側壁
２              踏桟
２ａ，２ｂ      踏桟の側壁
３，１３        内部補強用構造部材
４              ボルト
５              ナット
６ａ            嵌合突起
８              ガイド溝
９              切り起こし片
【図１】
2006144358.tif 000003
【図２】
2006144358.tif 000004
【図３】
2006144358.tif 000005
【図４】
2006144358.tif 000006
【図５】
2006144358.tif 000007
【図６】
2006144358.tif 000008
【図７】
2006144358.tif 000009